(57)【要約】【解決手段】底部１と、底部にヒンジ連結された相対する長側壁２と、同じく底部にヒンジ連結された相対する短側壁３とを有するとともに、長側壁及び短側壁を、底部に重なるように倒すことにより折り畳むことが可能な折り畳みコンテナーにおいて、長側壁に、水平面１ｅ１と該水平面の外側縁から下方に延在する傾斜面１ｅ２とを有する上部フランジ部１ｅを形成するとともに、底部に形成されたスカート部５の傾斜部５ａに、規制突部７を形成したものである。【効果】作業者は、目視で、上に位置する折り畳みコンテナーの底部に形成された規制突部が、下に位置する折り畳みコンテナーの長側壁の上部フランジ部の傾斜面側に位置しているかどうかを確認することができるので、スライドスタッキングが失敗するようなことを、確実に防止することできる。【選択図】図８
2005047506.tif 000002
【特許請求の範囲】
【請求項１】
底部と、底部にヒンジ連結された相対する長側壁と、同じく底部にヒンジ連結された相対する短側壁とを有するとともに、長側壁及び短側壁を、底部に重なるように倒すことにより折り畳むことが可能な折り畳みコンテナーにおいて、長側壁に、水平面と該水平面の外側縁から下方に延在する傾斜面とを有する上部フランジ部を形成するとともに、底部に形成されたスカート部の傾斜部に、規制突部を形成したことを特徴とする折り畳みコンテナー。
【発明の詳細な説明】
【０００１】
【発明の属する技術分野】
本発明は、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、底部の上に重なるように、長側壁及び短側壁を倒すことにより、折り畳むことが可能な折り畳みコンテナーに関するものである。
【０００２】
【従来の技術】
従来、箱型に組み立てられた折り畳みコンテナーの上に、同じく箱型に組み立てられた折り畳みコンテナーを積み重ねる際に、上に位置する折り畳みコンテナーの底部の相対する短辺部のうちの一方の短辺部付近を、下に位置する折り畳みコンテナーの相対する長側壁の一方の端部付近に載置し、その後、上に位置する折り畳みコンテナーを、下に位置する折り畳みコンテナーの相対する長側壁の上面をスライドさせながら移動させることにより、上に位置する折り畳みコンテナーを、下に位置する折り畳みコンテナーに積み重ねるという、所謂、スライドスタッキングが行われている。
【０００３】
上述したようなスライドスタッキングを行うために、長側壁の上面に、レール突部を突設するとともに、底部の裏面には、底部の長辺部に沿って、レール突部が嵌め込まれるレール溝を形成した折り畳みコンテナーが、特許文献１に開示されている。
【０００４】
【特許文献１】
特開２００１−３３５０２９号公報
【０００５】
【発明が解決しようとする課題】
上述した従来の折り畳みコンテナーにおいては、スライドスタッキングを行う際に、下に位置する折り畳みコンテナーの相対する長側壁の上面に突設されたレール突部を、上に位置する折り畳みコンテナーの底部の裏面に形成されたレール溝に嵌め込まなければならないが、レール溝は、底部の裏面に形成されているので、レール突部のレール溝への嵌め込み作業の作業性が悪く、従って、スライドスタッキング作業の作業性が悪いという問題があった。
【０００６】
また、長側壁の上面に、レール突部が突設されているので、箱型に組み立てられた折り畳みコンテナーに物品を収容する際に、或いは、箱型に組み立てられた折り畳みコンテナーから物品を取り出す際等に、物品が、レール突部に当接し、レール突部が損傷するという問題があった。
【０００７】
本発明の目的は、上述した従来の折り畳みコンテナーが有する課題を解決することにある。
【０００８】
【課題を解決するための手段】
本発明は、上述した目的を達成するために、底部と、底部にヒンジ連結された相対する長側壁と、同じく底部にヒンジ連結された相対する短側壁とを有するとともに、長側壁及び短側壁を、底部に重なるように倒すことにより折り畳むことが可能な折り畳みコンテナーにおいて、長側壁に、水平面と該水平面の外側縁から下方に延在する傾斜面とを有する上部フランジ部を形成するとともに、底部に形成されたスカート部の傾斜部に、規制突部を形成したものである。
【０００９】
【実施例】
以下に、本発明の実施例について説明するが、本発明の趣旨を越えない限り何ら、本実施例に限定されるものでない。
【００１０】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１１】
次に、主として、図４及び図５を用いて、底部１について説明する。
【００１２】
底部１の裏面形状は、略長方形に形成されており、底部１の裏面には、底部１の裏面の長辺１ｃ及び短辺１ｄから、所定の幅を有する額縁状領域１ｅを残して、裏面形状が長方形状の嵌合ブロック部４が垂設されている。嵌合ブロック部４は、底部１の裏面に垂直な周壁４ａを有しており、周壁４ａの内側には、長辺１ｃに平行な長辺側リブ４ｂと短辺１ｄに平行な短辺側リブ４ｃとが垂設されており、長辺側リブ４ｂと短辺側リブ４ｃとは交差するように形成されている。本実施例のように、嵌合ブロック部４を、周壁４ａと、周壁４ａ内に交差するように垂設された長辺側リブ４ｂと短辺側リブ４ｃとで構成することもできるが、周壁４ａの周辺部に沿って、所定の幅に亘たって、長辺側リブ４ｂと短辺側リブ４ｃとを形成し、それ以外の中央部領域は、底部１を下方に膨出させることにより、板状に形成することもできるし、更に、中央部領域の所定の領域に、長辺側リブ４ｂと短辺側リブ４ｃとを形成することもできる。いずれにせよ、周壁４ａの内側周辺部には、少なくとも、周壁４ａに沿って、所定の幅に亘たって、長辺側リブ４ｂと短辺側リブ４ｃとが形成されている。
【００１３】
本実施例においては、図４及び図６に示されているように、底部１の長辺１ｃの両端部付近に位置する嵌合ブロック部４の周壁４ａを、全部或いは所定の高さに亘たって削除するとともに、削除された周壁４ａには、額縁状領域１ｅ方向に傾斜した傾斜面４ａを形成するとともに、削除された周壁４ａに連接されていた短辺側リブ４ｃの両端部にも、額縁状領域１ｅ方向に傾斜した傾斜面４ｃ１を形成する。このように、底部１の長辺１ｃの両端部付近に位置する嵌合ブロック部４には、削除された周壁４ａに形成された傾斜面４ａ１と短辺側リブ４ｃの両端部に形成された傾斜面４ｃ１とからなる傾斜切り欠き部Ｄが形成されている。また、底部１の短辺１ｄ側に位置する周壁４ａと該周壁４ａに隣に位置する短辺側リブ４ｃの先端部を、連結リブ４ｄにより連結することにより、短辺１ｄ側に位置する周壁４ａを補強するように構成することが好ましい。なお、本実施例には、４本の短辺側リブ４ｃの両端部に、傾斜面４ｃ１が形成されている例が示されている。このような嵌合ブロック部４に形成された傾斜切り欠き部Ｄを形成しないように構成することもできる。
【００１４】
また、底部１の長辺１ｃには、底部１の裏面に対して垂直で、且つ、略横長の帯状の板材として形成されたスカート部５が垂設されている。スカート部５は、長辺１ｃの両端部以外の、長辺１ｃの略全長に亘たって形成されているとともに、スカート部５の外面は、長辺側土手部１ａの外面と略面一となるように構成されている。更に、スカート部５の下端は、嵌合ブロック部４を越えて下方に延在することがないように形成されており、且つ、スカート部５の両端には、額縁状領域１ｅに向かって、上方に傾斜した傾斜部５ａが形成されている。更にまた、スカート部５の傾斜部５ａ以外の部分と嵌合ブロック部４の周壁４ａとは、スカート部５の強度や剛性を高めるために、所定の間隔で配設された連結リブ６により連結されている。
【００１５】
上述したスカート部５の傾斜部５ａの下端には、スカート部５を下方に延長することにより、規制突部７が形成されており、規制突部７の下端は、嵌合ブロック部４を越えて下方に延在することがないように形成されている。
【００１６】
次に、図１及び図２を用いて、長側壁２及び短側壁３について説明する。
【００１７】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１８】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内面側の面と略平行な垂直面に形成されている。
【００１９】
長側壁２の板状部２ａの上端には、板状部２ａに対して略垂直な水平面２ｅ１と、水平面２ｅ１の外側縁から、下方に傾斜するように延在する傾斜面２ｅ２とを有する上部フランジ部２ｅが形成されている。また、長側壁２の板状部２ａの下端には、板状部２ａに対して略垂直な下端水平リブ２ｆが形成されているとともに、板状部２ａの外面（折り畳みコンテナーを箱型に組み立てた際に、外側に位置する面）には、必要に応じて適宜、適当数の垂直リブ２ｇや水平リブ２ｈが形成されている。
【００２０】
長側壁２の上部フランジ部２ｅの長手方向の両端部には、上部フランジ部２ｅを越えて上方に位置する長側壁側嵌合土手部８が突設されており、長側壁側嵌合土手部８は、水平な上面８ａと、上部フランジ部２ｅの水平面２ｅ１に向かって下方に傾斜した傾斜側面８ｂとを有している。なお、本実施例においては、上述した係合枠２ｂの上部は、長側壁側嵌合土手部８に連接されている。
【００２１】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）３ａ１には、必要に応じて適宜、適当数の垂直リブ３ｆや水平リブ３ｇが形成されている。
【００２２】
短側壁３の上端水平リブ３ｂの長手方向の両端部には、上端水平リブ３ｂを越えて上方に位置する短側壁側嵌合土手部９が突設されており、短側壁側嵌合土手部９は、水平な上面９ａと、上端水平リブ３ｂに向かって下方に傾斜した傾斜側面９ｂとを有している。短側壁側嵌合土手部９と上述した長側壁側嵌合土手部８とは同じ高さに形成されている。
【００２３】
なお、上述した底部１の裏面に垂設された嵌合ブロック部４の高さ（底部１の裏面から嵌合ブロック部４の裏面までに距離）は、長側壁側嵌合土手部８及び短側壁側嵌合土手部９の高さと略同じ高さに形成されている。
【００２４】
上述した構成を有する折り畳みコンテナーが、図６に示されているように、箱型に組み立てられた状態で積み重ねられた際には、上に位置する折り畳みコンテナーの底部１の嵌合ブロック部４の周囲に形成された額縁状領域１ｅのうち、額縁状領域１ｅの角部分１ｅ１が、下に位置する折り畳みコンテナーの長側壁２に形成された長側壁側嵌合土手部８の上面８ａ及び短側壁３に形成された短側壁側嵌合土手部９の上面９ａに載置されるとともに、上に位置する折り畳みコンテナーの底部１の嵌合ブロック部４を構成する周壁４ａの角部付近が、下に位置する折り畳みコンテナーの長側壁２に形成された長側壁側嵌合土手部８の内壁及び短側壁３に形成された短側壁側嵌合土手部９の内壁に、接近して位置するように構成されているので、上に位置する折り畳みコンテナーが、水平方向に移動しようとしても、上に位置する折り畳みコンテナーの嵌合ブロック部４の周壁４ａが、下に位置する折り畳みコンテナーの長側壁２に形成された長側壁側嵌合土手部８の内壁及び短側壁３に形成された短側壁側嵌合土手部９の内壁に当接するので、上に位置する折り畳みコンテナーが、下に位置する折り畳みコンテナーに対して大きく移動するようなことがなく、従って、安定した状態で、下に位置する折り畳みコンテナーに対して、上に位置する折り畳みコンテナーを積み重ねることができる。
【００２５】
次に、主として、図８及び図９を用いて、箱型に組み立てられた折り畳みコンテナー同士のスライドスタッキングについて説明する。
【００２６】
上に位置する折り畳みコンテナーＣａの底部１の一方の短辺１ｄ側に位置する嵌合ブロック部４を、下に位置する折り畳みコンテナーＣｂの一方の短側壁３に形成された短側壁側嵌合土手部９の上面９ａに載置するとともに、上に位置する折り畳みコンテナーＣａの底部１の額縁状領域１ｅの角部分１ｅ１を、下に位置する折り畳みコンテナーＣｂの長側壁２の上部フランジ部２ｅの水平面２ｅ１に載置することにより、図９に示されているように、上に位置する折り畳みコンテナーＣａの底部１の長辺１ｃに沿って垂下されたスカート部５の傾斜部５ａの下端に突設された規制突部７が、下に位置する折り畳みコンテナーＣｂの長側壁２の上部フランジ部２ｅを構成する傾斜面２ｅ２に接近して位置するように配置する。その後、上に位置する折り畳みコンテナーＣａの額縁状領域１ｅが、下に位置する折り畳みコンテナーＣｂの長側壁２の上部フランジ部２ｅの水平面２ｅ１の上面８ａに接触するとともにスライド移動するように、上に位置する折り畳みコンテナーＣａを、下に位置する折り畳みコンテナーＣｂに対してスライド移動させる。
【００２７】
上述したスライドスタッキング作業中に、下に位置する折り畳みコンテナーＣｂの長側壁２が、上に位置する折り畳みコンテナーＣａの重量により、外側に湾曲しようとした際には、下に位置する折り畳みコンテナーＣｂの長側壁２の上部フランジ部２ｅを構成する傾斜面２ｅ２が、上に位置する折り畳みコンテナーＣａの底部１の長辺１ｃに沿って垂下されたスカート部５の傾斜部５ａの下端に突設された規制突部７に当接するように構成されているので、下に位置する折り畳みコンテナーＣｂの長側壁２の外側への湾曲変形が阻止されることになる。従って、上に位置する折り畳みコンテナーＣａの底部１の額縁状領域１ｅの角部分１ｅ１が、下に位置する折り畳みコンテナーＣｂの長側壁２の上部フランジ部２ｅから外れて、上に位置する折り畳みコンテナーＣａの底部１のスライド方向前方部分が、下に位置する折り畳みコンテナーＣｂ内に落ち込むようなことを防止することができる。よって、スライドスタッキング作業中に、上に位置する折り畳みコンテナーＣａが、下に位置する折り畳みコンテナーＣｂ内に落ち込み、スライドスタッキングが不可能になるようなことを、確実に、防止することができる。
【００２８】
スライドスタッキングの最終段階においては、上に位置する折り畳みコンテナーＣａのスライド方向前方の短側壁３の両端部に位置する底部１の角部分１ｅ１が、下に位置する折り畳みコンテナーＣｂの長側壁２に形成された長側壁側嵌合土手部８の傾斜側面８ｂを経て、スライド方向前方に位置する長側壁側嵌合土手部８の水平な上面８ａ及び短側壁側嵌合土手部９の水平な上面９ａに載置されるとともに、スライド方向後方の短側壁３の両端部に位置する角部分１ｅ１も、スライド方向後方に位置する長側壁側嵌合土手部８の水平な上面８ａ及び短側壁側嵌合土手部９の水平な上面９ａに載置されて、スライドスタッキング作業が終了することになる。
【００２９】
上述したように、スライドスタッキングの際に、上に位置する折り畳みコンテナーＣａの底部１の長辺１ｃに沿って垂下されたスカート部５の傾斜部５ａの下端に突設された規制突部７が、下に位置する折り畳みコンテナーＣｂの長側壁２の上部フランジ部２ｅを構成する傾斜面２ｅ２に接近して位置するように構成されているので、作業者は、目視で、上に位置する折り畳みコンテナーＣａの底部１に形成された規制突部７が、下に位置する折り畳みコンテナーＣｂの長側壁２の上部フランジ部２ｅの傾斜面２ｅ２側に位置しているかどうかを確認することができるので、スライドスタッキングが失敗するようなことを、確実に防止することできる。
【００３０】
また、長側壁２の上部フランジ部２ｅには、従来の折り畳みコンテナーのように、レール突部等の突起部が形成されていないので、スライドスタッキングにとって必須であるレール突部が損傷するようなことがないし、且つ、長側壁２の上部フランジ部２ｅが、箱型に組み立てられた折り畳みコンテナーへの物品の出し入れの邪魔になるようなことがない。
【００３１】
更に、底部１には、従来の折り畳みコンテナーのように、長側壁２の上面に突設されたレール突部が嵌め込まれるレール溝が形成されていないので、このようなレール溝にゴミ等が溜まり、レール溝へのレール突部の嵌め込みが阻害されるようなこともなく、また、折り畳みコンテナーの洗浄性も向上する。
【００３２】
更にまた、上述したように、底部１の長辺１ｃの両端部付近に位置する嵌合ブロック部４に、傾斜切り欠き部Ｄを形成したことにより、箱型に組み立てられた折り畳みコンテナーのスライドスタッキング作業に先立って、上に位置する折り畳みコンテナーＣａの底部１の一方の短辺１ｄ側に位置する嵌合ブロック部４を、下に位置する折り畳みコンテナーＣｂの一方の短側壁３に形成された短側壁側嵌合土手部９の上面９ａに載置するとともに、上に位置する折り畳みコンテナーＣａの底部１の額縁状領域１ｅを、下に位置する折り畳みコンテナーＣｂの長側壁２の上部フランジ部２ｅの水平面２ｅ１に載置することにより、上に位置する折り畳みコンテナーＣａの底部１の長辺１ｃに沿って垂下されたスカート部５の傾斜部５ａの下端に突設された規制突部７が、下に位置する折り畳みコンテナーＣｂの長側壁２の上部フランジ部２ｅを構成する傾斜面２ｅ２に接近して位置するように配置する際に、上に位置する折り畳みコンテナーＣａの嵌合ブロック部４の底部１の長辺１ｃの両端部付近に位置する部分が、下に位置する折り畳みコンテナーＣｂの長側壁２の上部フランジ部２ｅに当接するようなことを防止することができ、従って、スライドスタッキング作業の作業性が向上する。
【００３３】
上述した長側壁２の上部フランジ部２ｅに形成された傾斜面２ｅ２には、折り畳みコンテナーに収容されている物品名や搬送先等の種々の情報が印刷されたラベル等を貼付したり、刻印や彫刻を施すこともできる。傾斜面２ｅ２を、表示部として利用することにより、作業者が、表示部に表示されている内容を、折り畳みコンテナーの上方から確認することができ、わざわざ、長側壁２の側面に回り込む必要がなく、従って、表示部の確認作業等の作業性が向上する。
【００３４】
なお、上述した実施例には、箱型に組み立てられた折り畳みコンテナーの折り畳みの際には、短側壁３を先に倒し、その後、長側壁２を倒し、また、組立の際には、先に長側壁２を立て、その後、短側壁３を立てるように構成されているが、箱型に組み立てられた折り畳みコンテナーの折り畳みの際には、長側壁２を先に倒し、その後、短側壁３を倒し、また、組立の際には、先に短側壁３を立て、その後、長側壁２を立てるように構成することもできる。
【００３５】
【発明の効果】
本発明は、以上説明した構成を有しているので、以下に記載する効果を奏するものである。
【００３６】
作業者は、目視で、上に位置する折り畳みコンテナーの底部に形成された規制突部が、下に位置する折り畳みコンテナーの長側壁の上部フランジ部の傾斜面側に位置しているかどうかを確認することができるので、スライドスタッキングが失敗するようなことを、確実に防止することできる。
【００３７】
また、長側壁の上部フランジ部には、従来の折り畳みコンテナーのように、レール突部等の突起部が形成されていないので、スライドスタッキングにとって必須であるレール突部が損傷するようなことがないし、且つ、長側壁の上部フランジ部が、箱型に組み立てられた折り畳みコンテナーへの物品の出し入れの邪魔になるようなことがない。
【００３８】
更に、底部には、従来の折り畳みコンテナーのように、長側壁の上面に突設されたレール突部が嵌め込まれるレール溝が形成されていないので、従来の折り畳みコンテナーのように、このようなレール溝にゴミ等が溜まり、レール溝へのレール突部の嵌め込みが阻害されるようなこともなく、また、折り畳みコンテナーの洗浄性も向上する。
【図面の簡単な説明】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、折り畳まれた状態の本発明の折り畳みコンテナーの裏面斜視図である。
【図５】図５は、本発明の折り畳みコンテナーの底部の部分拡大正面図である。
【図６】図６は、本発明の折り畳みコンテナーの底部の部分拡大裏面図である。
【図７】図７は、本発明の箱型に組み立てられた一対の折り畳みコンテナーが積み重ねられた状態の斜視図である。
【図８】図８は、本発明の箱型に組み立てられた折り畳みコンテナーのスライドスタッキングを説明するための斜視図である。
【図９】図９は、図８の短側壁に沿った部分垂直断面図である。
【符号の説明】
Ｃａ、Ｃｂ・・・・・・・・・・・折り畳みコンテナー
Ｄ・・・・・・・・・・・・・・・挿入ロッド部傾斜切り欠き部
１・・・・・・・・・・・・・・・底部
１ａ・・・・・・・・・・・・・・長辺側土手部
１ｂ・・・・・・・・・・・・・・短辺側土手部
１ｅ・・・・・・・・・・・・・・額縁状領域
２・・・・・・・・・・・・・・・長側壁
３・・・・・・・・・・・・・・・短側壁
４・・・・・・・・・・・・・・・嵌合ブロック部
５・・・・・・・・・・・・・・・スカート部
７・・・・・・・・・・・・・・・規制突部７
【図１】
2005047506.tif 000003
【図２】
2005047506.tif 000004
【図３】
2005047506.tif 000005
【図４】
2005047506.tif 000006
【図５】
2005047506.tif 000007
【図６】
2005047506.tif 000008
【図７】
2005047506.tif 000009
【図８】
2005047506.tif 000010
【図９】
2005047506.tif 000011